【手続補正書】
【提出日】平成19年11月12日(2007.11.12)
【手続補正１】
【補正対象書類名】明細書
【補正対象項目名】特許請求の範囲
【補正方法】変更
【補正の内容】
【特許請求の範囲】
【請求項１】  ホームページと、
該ホームページに関連付けられたキーワードを抽出するキーワード抽出手段と、
該キーワード抽出手段で抽出したキーワードを表示するキーワード表示手段とを備えたことを特徴とするインターネット補助ソフトウェア。
【手続補正２】
【補正対象書類名】明細書
【補正対象項目名】０００７
【補正方法】変更
【補正の内容】
【０００７】
【課題を解決するための手段】
このため本発明（請求項１）は、ホームページと、該ホームページに関連付けられたキーワードを抽出するキーワード抽出手段と、該キーワード抽出手段で抽出したキーワードを表示するキーワード表示手段とを備えて構成した。
また、本発明（請求項２）は、前記キーワード抽出手段で抽出されたキーワードを累積するキーワード累積手段を備え、前記キーワード表示手段は、該キーワード累積手段で累積されたキーワードを表示することを特徴とする。
更に、本発明（請求項３）は、前記キーワード抽出手段で抽出されるキーワードは、前記ホームページに属するＨＴＭＬ文書のタグのキーワード欄より得られたドキュメント情報であることを特徴とする。
【手続補正３】
【補正対象書類名】明細書
【補正対象項目名】００１０
【補正方法】変更
【補正の内容】
【００１０】
更に、本発明（請求項４）は、ホームページと、該ホームページに属するＨＴＭＬ文書のタグのキーワード欄、タイトル欄、ディスクリプション欄のいずれか少なくとも一つよりドキュメント情報であるキーワードを抽出するキーワード抽出手段と、該キーワード抽出手段で抽出されたキーワードを累積するキーワード累積手段と、該キーワード累積手段で累積されたキーワードを表示するキーワード表示手段とを備えて構成した。
更に、本発明（請求項５）は、前記ホームページのアドレスを取得するアドレス取得手段を備え、該アドレス取得手段で取得されたアドレスは、前記キーワードとの間で階層的に配設されたことを特徴とする。
更に、本発明（請求項６）は、前記キーワード表示手段で表示されたキーワードを選択する選択手段と、該選択手段で選択されたキーワードが検索式として入力される検索式入力ボックスとを備えたことを特徴とする。
更に、本発明（請求項７）は、前記検索式入力ボックスに入力された検索式が、検索エンジンの検索式入力欄に投入されるキーワード投入手段を備えて構成した。
更に、本発明（請求項８）は、前記キーワード表示手段で表示されるキーワードは、所定の分類下に階層的に割り付けられたことを特徴とする。
【手続補正４】
【補正対象書類名】明細書
【補正対象項目名】００１２
【補正方法】変更
【補正の内容】
【００１２】
更に、本発明（請求項９）は、複数の分類と、該分類の内から一つが選択される分類選択手段と、検索エンジンの検索式入力欄に入力された検索式を保存する検索式保存手段と、前記検索エンジンによる検索の結果を抽出する検索結果抽出手段と、該検索結果抽出手段で抽出された検索結果を前記検索式の下位層に、かつ該検索式が前記分類選択手段で選択された分類の下位層に保存される検索結果保存手段と、該検索結果保存手段で保存された分類、前記検索式及び前記検索結果の内の少なくとも一つを表示する検索結果表示手段とを備えて構成した。
更に、本発明（請求項１０）は、ホームページの保存を指令するホームページ保存指令手段と、該ホームページ保存指令手段の指令により前記検索結果に関連付けて前記ホームページを保存するホームページ保存手段と、該検索結果を選択することで、該ホームページ保存手段により保存されたホームページが表示される保存ホームページ表示手段とを備えて構成した。
更に、本発明（請求項１１）は、前記検索結果にはアドレスが含まれ、該アドレスを選択するアドレス選択手段と、該アドレス選択手段で選択されたアドレスをブラウザに読み込み、ホームページを表示するホームページ表示手段を備えて構成した。
更に、本発明（請求項１２）は、前記キーワード抽出手段で抽出されるキーワード、前記検索エンジンの検索式入力欄に入力される検索式又は前記アドレス取得手段で取得されるアドレスは、アプリケーションソフトにより表示されたファイルより所定範囲のテキストを選択することで抽出されることを特徴とする。
更に、本発明（請求項１３）は、前記分類、前記キーワード、前記テキスト、前記検索式及び前記アドレスの内の少なくとも一つにはホームページの閲覧時間に応じて累積された経過時間が割り付けられたことを特徴とする。
更に、本発明（請求項１４）は、前記分類、前記キーワード、前記テキスト、前記検索式及び前記アドレスの内の少なくとも一つには、該キーワード等の出現回数が累積された頻度が割り付けられたことを特徴とする。
更に、本発明（請求項１５）は、前記分類、前記キーワード、前記テキスト、前記検索式及び前記アドレスの内の少なくとも一つには、日時が割り付けられたことを特徴とする。
更に、本発明（請求項１６）は、前記分類、前記キーワード、前記テキスト、前記検索式及び前記アドレスの内の少なくとも一つを所定の条件で整列する整列手段を備えて構成した。
更に、本発明（請求項１７）は、前記キーワード、前記テキスト、前記検索式及び前記アドレスの内の少なくとも一つの保存及び／又は表示の一部を制限するフィルタ手段を備えて構成した。
更に、本発明（請求項１８）は、前記キーワード、前記テキスト及び前記アドレスの内の少なくとも一つがいずれの分類に属するべきかを判断する分類判断手段と、該分類判断手段による判断結果に基づき前記キーワード等を移動する移動手段を備えて構成した。
更に、本発明（請求項１９）は、前記検索式入力ボックスに入力された検索式に基づき、前記キーワード、前記テキスト、前記タイトル、前記検索式及び前記アドレスの内の少なくとも一つを検索する検索手段と、該検索手段で検索された前記キーワード等を表示するキーワード表示手段とを備えて構成した。
更に、本発明（請求項２０）は、前記分類、前記キーワード、前記テキスト、前記タイトル、前記検索式及び前記アドレスの内の少なくとも一つを含むテキストデータ及び／又は前記ホームページを含む画像データが所定のデータ容量を超えたとき、該データ容量を超えた分に相当するデータを削除するデータ削除手段を備えて構成した。
更に、本発明（請求項２１）は、前記キーワード、前記テキスト、前記タイトル及び前記検索式の内の少なくとも一つを翻訳する翻訳手段を備えて構成した。
更に、本発明（請求項２２）は、前記分類、前記キーワード、前記テキスト、前記タイトル、前記検索式、前記アドレス及び前記保存されたホームページの内の少なくとも一種類のデータ項目を基に、該データ項目下に含まれるデータ数、前記経過時間、前記頻度、前記日時の内の少なくとも一つの情報からユーザのインターネットを介しての需要を判断するインターネット需要状況判断手段と、該インターネット需要状況判断手段で判断されたユーザの需要を所定のサーバ又はサイトに送信する送信手段とを備えて構成した。
更に、本発明（請求項２３）は、前記分類にはプライバシー保護分類が設けられ、該プライバシー保護分類に保存されたデータは、前記インターネット需要状況判断手段でユーザの需要を判断されず、かつ前記送信手段により送信されないことを特徴とする。
【手続補正５】
【補正対象書類名】明細書
【補正対象項目名】００１７
【補正方法】変更
【補正の内容】
【００１７】
更に、本発明（請求項２５）は、インターネット上に公開された検索エンジンと、該検索エンジンの検索式入力欄にユーザにより入力された検索式を抽出する検索式抽出手段と、該検索式抽出手段で抽出した検索式を所定のサーバ又はサイトに送信する送信手段とを備えて構成した。
更に、本発明（請求項２６）は、前記送信手段により送信された前記ユーザの需要又は前記検索式に基づき所定の広告が選択され、前記ユーザに対し提供される広告提供手段を備えて構成した。
【手続補正６】
【補正対象書類名】明細書
【補正対象項目名】００２３
【補正方法】変更
【補正の内容】
【００２３】
検索式をクライアントパソコンにて予め作成することで、通信費の無駄を省き、回線の混雑を低減出来る。検索の結果は、公報番号や発明の名称である。検索式を保存することで、検索式の再利用が可能となる。また、過去にどのような検索を行ったのかを検索式及び検索結果を対比しつつ理解出来、次の検索に生かすことが出来る。
更に、本発明（請求項３０）は、請求項１〜請求項２９に記載のインターネット補助ソフトウェアがプログラミングされ、記録された記録媒体である。